(57)【要約】 【課題】撮影者が、同じ撮影グループに属する複数の撮影者が撮影したデータを確認しながら、効率的に撮影を行う方法を提供する。【解決手段】撮影装置は、他の撮影装置によって撮影された他の撮影データと該他の撮影データに関連する情報が含まれた他の撮影データ情報を、外部装置から取得し、取得された他の撮影データ情報を、撮影確認画面に重ねて表示部に表示する。【選択図】図１１
2015144425.tif 000002
【特許請求の範囲】
【請求項１】
他の撮影装置によって撮影された他の撮影データと該他の撮影データに関連する情報が含まれた他の撮影データ情報を、外部装置から取得する取得手段と、
前記取得手段によって取得された前記他の撮影データ情報を、撮影確認画面に重ねて表示部に表示する表示制御手段と、
を有することを特徴とする撮影装置。
【請求項２】
自身の撮影データと該撮影データに関連する情報が含まれた撮影データ情報を前記外部装置に送信する送信手段を更に備えることを特徴とする請求項１に記載の撮影装置。
【請求項３】
自身の撮影データと該撮影データに関連する情報が含まれた撮影データ情報を記録する記録手段を更に備えることを特徴とする請求項１に記載の撮影装置。
【請求項４】
自身の撮影データと該撮影データに関連する情報が含まれた撮影データ情報と、前記他の撮影データ情報を記録することを特徴とする請求項１に記載の撮影装置。
【請求項５】
前記表示制御手段は、前記撮影データ情報と、前記取得手段によって取得された前記他の撮影データ情報を、前記撮影確認画面に重ねて前記表示部に表示することを特徴とする請求項２乃至４のいずれか１項に記載の撮影装置。
【請求項６】
前記表示制御手段により表示される前記撮影データ情報と前記他の撮影データ情報には、同じグループへの所属を示す識別情報が含まれることを特徴とする請求項５に記載の撮影装置。
【請求項７】
前記撮影データ情報には前記撮影装置のユーザである撮影者の情報が含まれ、前記他の撮影データ情報には前記他の撮影装置のユーザである他の撮影者の情報が含まれ、
前記表示制御手段は、前記表示部における第１の領域に、前記撮影データと前記他の撮影データを撮影日時の順に並べ、前記表示部における第２の領域に、前記撮影者の情報と前記他の撮影者の情報を表示することを特徴とする請求項２乃至６のいずれか１項に記載の撮影装置。
【請求項８】
前記表示制御手段は、前記第１の領域に表示される前記撮影データと前記他の撮影データが、前記第２の領域に表示される前記撮影者の情報と前記他の撮影者のいずれによって撮影されたかを、文字、アイコン、画像、色、フィルタ、模様、フレーム、形状もしくはこれらの組み合わせによってユーザが認識できるように前記表示部に表示することを特徴とする請求項７に記載の撮影装置。
【請求項９】
前記撮影データ情報と前記他の撮影データ情報には、それぞれ前記撮影装置の動作状態と前記他の撮影装置の動作状態に関連する情報が含まれることを特徴とする請求項７または８に記載の撮影装置。
【請求項１０】
前記表示制御手段は、前記撮影装置の動作状態と前記他の撮影装置の動作状態をユーザが認識できるように前記表示部に表示することを特徴とする請求項９に記載の撮影装置。
【請求項１１】
前記表示制御手段は、前記表示部へ表示する撮影データ情報を、ユーザによる操作に応じて選択して表示することを特徴とする請求項１乃至１０のいずれか１項に記載の撮影装置。
【請求項１２】
前記取得手段は、前記表示部へ表示する撮影データ情報を、ユーザによる操作に応じて選択して取得することを特徴とする請求項１乃至１０のいずれか１項に記載の撮影装置。
【請求項１３】
前記表示制御手段は、前記表示部へ撮影データ情報を表示するか否かを、ユーザによる操作に応じて切り換えることを特徴とする請求項１乃至１２のいずれか１項に記載の撮影装置。
【請求項１４】
前記外部装置は、前記他の撮影装置のうちの１つであることを特徴とする請求項１乃至１３のいずれか１項に記載の撮影装置。
【請求項１５】
前記外部装置は、前記他の撮影装置とは異なる所定の装置であることを特徴とする請求項１乃至１３のいずれか１項に記載の撮影装置。
【請求項１６】
複数の撮影装置から送信された、撮影データと該撮影データに関連する情報が含まれた撮影データ情報を記憶する記憶手段と、
前記複数の撮影装置の内の所定の撮影装置から送信された要求に応じて、前記撮影データ情報の中から前記所定の撮影装置の撮影確認画面に重ねて表示させるため撮影データ情報を取得する取得手段と、
前記取得手段によって取得された撮影データ情報を前記所定の撮影装置に送信する送信手段を有することを特徴とする情報管理装置。
【請求項１７】
他の撮影装置によって撮影された他の撮影データと該他の撮影データに関連する情報が含まれた他の撮影データ情報を、外部装置から取得する取得工程と、
前記取得工程において取得された前記他の撮影データ情報を、撮影確認画面に重ねて表示部に表示する表示制御工程と、
を有することを特徴とする撮影装置の制御方法。
【請求項１８】
複数の撮影装置から送信された、撮影データと該撮影データに関連する情報が含まれた撮影データ情報を記憶手段に記憶する記憶工程と、
前記複数の撮影装置の内の所定の撮影装置から送信された要求に応じて、前記撮影データ情報の中から前記所定の撮影装置の撮影確認画面に重ねて表示させるため撮影データ情報を取得する取得工程と、
前記取得工程において取得された撮影データ情報を前記所定の撮影装置に送信する送信工程を有することを特徴とする情報管理装置の制御方法。
【請求項１９】
請求項１乃至請求項１５のいずれか１項に記載の撮影装置としてコンピュータを機能させることを特徴とするプログラム。
【請求項２０】
請求項１６に記載の情報管理装置としてコンピュータを機能させることを特徴とするプログラム。
【発明の詳細な説明】
【技術分野】
【０００１】
本発明は、１つの撮影グループに属する撮影者それぞれの撮影行為に対する支援を行う撮影装置、その制御方法、及びプログラムに関する。
【背景技術】
【０００２】
複数人のグループで旅行やイベントを楽しむ際に、参加者のそれぞれが参加者自身の撮影装置を用いて写真を撮影することが多々あるが、それぞれの参加者が意図せず同じような写真ばかり撮っている場合がある。この場合、後日撮影した写真を持ち寄ってアルバムを作ろうとしても、同じような写真ばかりになってしまい面白味がない。そこで、複数人のグループで写真撮影を行っている最中に、それぞれが撮影した写真を簡単に把握するための方法が提案されている。
【０００３】
例えば、特許文献１では、グループを構成する各撮影者が撮影した写真を、ネットワークを介して他の撮影者のカメラに即座に転送することによって、グループを形成する他の撮影者が撮影した写真を確認する事を可能としている。また、撮影者が過去に撮影した写真を確認する他の従来方法として、撮影中のファインダ画面に、撮影者が過去に撮影した写真が提示される事によって、撮影者が過去に何を撮影したかを簡単に確認できるようにする方法もある。
【先行技術文献】
【特許文献】
【０００４】
【特許文献１】特開２０１２−２２７８１４号公報
【発明の概要】
【発明が解決しようとする課題】
【０００５】
特許文献１で示した方法では、簡単な操作で、グループを構成する他の撮影者の撮影した写真を確認することができる。しかし、撮影中のファインダ画面と、他の撮影者の写真の再生画面が異なるため、撮影者が撮影中にグループを構成する他の撮影者が撮影した写真を閲覧する事ができない。このことは、撮影者が意図的にファインダ画面と再生画面を切り替えなければならない事を意味しており、撮影者の撮影行為を中断してしまうことになる。また、被写体が動く場合は、再生画面に切り替えることすらも難しい。被写体が動く場合の例として、スポーツ観戦中に撮影する場合や動物を撮影する場合を考える。このとき、被写体が動くためシャッターチャンスの到来を高精度に予測する事が出来ない。撮影者がこのような動く被写体を撮影する場合、少しでも良い写真を撮影するために、常にファインダ画面を確認して撮影可能な状態にしておきたいと考える場合があるが、そうすると他の撮影者の撮影した写真を確認する事ができなくなる。
【０００６】
また、他の従来方法では、グループを構成する他の撮影者が撮影した写真を確認する事が出来ない。自分が過去に撮影した写真からでは、自分の撮影動向を把握する事はできるものの、グループとしての撮影動向を確認する事が出来ない。そのため、後日グループで写真を共有した際に、グループを構成する撮影者が、同じ様な写真ばかりを撮影していたと言う事が起こりえた。
【０００７】
本発明は、上記課題に鑑みてなされたものであり、撮影者が、同じ撮影グループに属する複数の撮影者が撮影したデータを確認しながら、効率的に撮影を行う方法を提供することを目的とする。
【課題を解決するための手段】
【０００８】
上記目的を達成するための一手段として、本発明による撮影装置は、他の撮影装置によって撮影された他の撮影データと該他の撮影データに関連する情報が含まれた他の撮影データ情報を、外部装置から取得する取得手段と、前記取得手段によって取得された前記他の撮影データ情報を、撮影確認画面に重ねて表示部に表示する表示制御手段を有する。
【発明の効果】
【０００９】
本発明によれば、撮影者が、同じ撮影グループに属する複数の撮影者が撮影したデータを確認しながら、効率的に撮影を行う事が可能になる。
【図面の簡単な説明】
【００１０】
【図１】第１実施形態の撮影装置の全体構成と機能を示す図。
【図２】第１実施形態における具体的な構成を示す図。
【図３】第１実施形態における撮影装置の処理フローを示す図。
【図４】第１実施形態における情報管理装置の処理フローを示す図。
【図５】第１実施形態における通信シーケンスを示す図。
【図６】第１実施形態において想定される使用シーンを示す図。
【図７】第１実施形態におけるカメラ２１００の背面の表示例を示す図。
【図８】第１実施形態における撮影データの例を示す図。
【図９】第１実施形態における撮影データ保持部Ａ１６０２０が保持する情報例を示す図。
【図１０】第１実施形態における撮影者情報保持部Ａ１６０１０が保持する情報例を示す図。
【図１１】第１実施形態における情報提示装置Ａ１４０００に提示される画面例を示す図。
【図１２】第２実施形態の撮影装置の全体構成と機能を示す図。
【図１３】第２実施形態における具体的な構成を示す図。
【図１４】第２実施形態における情報管理装置の処理フローを示す図。
【図１５】第２実施形態における通信シーケンスを示す図。
【図１６】第２実施形態において想定される使用シーンを示す図。
【図１７】第２実施形態におけるカメラ１１１００の背面の表示例を示す図。
【図１８】第２実施形態における撮影データ保持部Ａ１５０１０が保持する情報例を示す図。
【図１９】第２実施形態における撮影データ保持部Ａ１６０２０が保持する情報例を示す図。
【図２０】第２実施形態における提示情報制御装置Ａ１７０００のスイッチがオンになっている場合の情報提示装置Ａ１４０００に提示される画面例を示す図。
【図２１】第２実施形態における提示情報制御装置Ａ１７０００のスイッチがオフになっている場合の情報提示装置Ａ１４０００に提示される画面例を示す図。
【図２２】第３実施形態の撮影装置の全体構成と機能を示す図。
【図２３】第３実施形態における具体的な構成を示す図。
【図２４】第３実施形態における処理フローを示す図。
【図２５】第３実施形態における通信シーケンスを示す図。
【図２６】第３実施形態において想定される使用シーンを示す図。
【図２７】第３実施形態におけるカメラ１９１００の背面の表示例を示す図。
【図２８】第３実施形態における撮影者情報保持部Ａ１５０２０のが保持する情報例を示す図。
【図２９】第３実施形態におけるカメラ１１１００の背面の表示例を示す図。
【図３０】第３実施形態における撮影装置の状態とフィルタの対応例を示す図。
【図３１】第４実施形態におけるカメラ２１００の背面の表示例を示す図。
【図３２】第４実施形態における撮影者ＩＤとテクスチャの対応例を示す図。
【図３３】第５実施形態におけるカメラ２１００の背面の表示例を示す図。
【発明を実施するための形態】
【００１１】
＜第１実施形態＞
以下、図面を参照して本発明の第１実施形態を詳細に説明する。
（全体構成図と機能）
図１に本実施形態の撮影装置の全体構成図と機能を示す。撮像素子Ａ１１０００は、例えばCMOSイメージセンサである。撮像素子Ａ１１０００は、レンズなど外部から入ってきた光を第一の計算部Ａ１５０００による処理が可能な電気信号に変換して、第一の計算部Ａ１５０００へ出力する。撮像素子Ａ１１０００の出力は、第一の計算部Ａ１５０００において撮像データを記録するためと、情報提示装置Ａ１４０００においてライブビューとしてのスルー画（撮像素子Ａ１１０００からの出力）を表示するために使用される。撮影制御装置Ａ１２０００は、例えば撮影装置に付されるボタンである。撮影者が任意のタイミングでこのボタンを押下することによって、第一の計算部Ａ１５０００が撮像素子Ａ１１０００からの出力を撮影データとして出力データ記録部Ａ１５００２に記録し、通信装置Ａ１３００１を介して撮影データを外部に送信する。
【００１２】
通信装置Ａ１３００１及びＡ１３００２は、例えば無線LAN通信モジュールと無線LANルータ及び通信回線からなる。通信装置Ａ１３００１及びＡ１３００２は、撮影装置で撮影された撮影データを、グループを構成する他の撮影者と共有するために通信を行う。情報提示装置Ａ１４０００は、例えばファインダである。情報提示装置Ａ１４０００は、撮像素子Ａ１１０００から取得したスルー画と、通信装置Ａ１３００１によって外部から取得した各種情報を撮影者に提示する。
【００１３】
第一の計算部Ａ１５０００は、撮影データの取得や情報提示に関する様々な計算を行う。第二の計算部Ａ１６０００は、撮影者の情報や撮影データに関する様々な計算を行う。以下、第一の計算部Ａ１５０００と第二の計算部Ａ１６０００の構成について説明する。出力データ取得部Ａ１５００１は、撮像素子Ａ１１０００の出力を取得し、要求に応じて、出力データ記録部Ａ１５００２又は情報提示装置制御部Ａ１５００４に取得したデータを出力する。出力データ記録部Ａ１５００２は、撮影制御装置Ａ１２０００からの指示に応じて、出力データ取得部Ａ１５００１からの出力を撮影データとして記録する。記録された撮影データは通信装置Ａ１３００１及びＡ１３００２を介して、情報管理部Ａ１６００１に出力され、撮影者情報保持部Ａ１６０１０及び撮影データ保持部Ａ１６０２０に保持される。
【００１４】
情報取得部Ａ１５００３は、通信装置Ａ１３００１を介して、撮影者情報保持部Ａ１６０１０に保持される撮影者に関する情報、及び、撮影データ保持部Ａ１６０２０に保持される撮影データに関する情報を取得する。情報提示装置制御部Ａ１５００４は、出力データ取得部Ａ１５００１から、撮像素子Ａ１１０００が出力したスルー画（ライブビュー）を取得する。そして、情報提示装置制御部Ａ１５００４は、情報取得部Ａ１５００３から取得した、同じグループに属する撮影者の情報と、その撮影者が撮影した撮影データに関する情報を、スルー画に重ね合わせ、情報提示装置Ａ１４０００に出力する。
【００１５】
情報管理部Ａ１６００１は、通信装置Ａ１３００２を介して出力データ記録部Ａ１５００２から受信した情報を、撮影者情報保持部Ａ１６０１０及び撮影データ保持部Ａ１６０２０を用いて保持し一元管理する。情報管理部Ａ１６００１は、情報取得部Ａ１５００３からの要求に応じて、保持している情報を通信装置Ａ１３００２を介して情報取得部Ａ１５００３に出力する。撮影者情報保持部Ａ１６０１０は、それぞれの撮影者が所属するグループと撮影者を示すアイコン等の情報を保持し、情報管理部Ａ１６００１からの要求に応じて、保持された情報を情報管理部Ａ１６００１に出力する。撮影データ保持部Ａ１６０２０は、撮影者によって撮影された撮影データを保持し、情報管理部Ａ１６００１からの要求に応じて、保持された情報を情報管理部Ａ１６００１に出力する。
【００１６】
（具体的な構成）
図２に第１実施形態における具体的な構成を示す。カメラ（撮像装置）２１００〜２３００はそれぞれ、図１に示した撮像素子Ａ１１０００、撮影制御装置Ａ１２０００、通信装置Ａ１３００１、情報提示装置Ａ１４０００、及び第一の計算部Ａ１５０００を内包する。情報管理装置２４００は、図１に示した通信装置Ａ１３００２及び第二の計算部Ａ１６０００を内包する。
【００１７】
カメラ２１００〜２３００のそれぞれでは、撮影制御装置Ａ１２０００に相当するボタンがユーザである撮影者によって押下されることによって、出力データ取得部Ａ１５００１は撮像素子Ａ１１０００に相当するCMOSイメージセンサの出力を取得する。出力データ取得部Ａ１５００１は、取得したデータを撮影データとして出力データ記録部Ａ１５００２に記録する。そして、出力データ記録部Ａ１５００２は、通信装置Ａ１３００１に相当する無線LAN通信モジュール及び無線LANルータ及びインターネット回線などの通信設備を介して、撮影データを情報管理装置２４００に送る。情報提示装置Ａ１４０００は、撮像素子Ａ１１０００から取得したスルー画に、情報管理装置２４００から取得した情報（撮影データ情報）を重ねあわせて表示する。
【００１８】
第一の計算部Ａ１５０００は、出力データ取得部Ａ１５００１、出力データ記録部Ａ１５００２、情報取得部Ａ１５００３、情報提示装置制御部Ａ１５００４の機能を実行するプログラムを有する。第二の計算部Ａ１６０００は、情報管理部Ａ１６００１の機能を実行するプログラムを有し、撮影者情報保持部Ａ１６０１０と撮影データ保持部Ａ１６０２０として利用できる記憶装置を搭載している。以上が、本実施形態における具体的な構成である。
【００１９】
（具体的な処理例）
次に、図を用いて本実施形態における具体的な処理例について説明する。図６に本実施形態において想定される使用シーンを示す。本実施形態では、図６に示すように、撮影者４００１、４００２、４００３がそれぞれ、所定の手持ちのカメラ２１００、２２００、２３００で撮影を行うものとする。カメラ２１００〜２３００のそれぞれは、撮影者が撮影した撮影データ等を情報管理装置２４００に対して送信し、また、グループを構成する撮影者が撮影した撮影データ等を情報管理装置２４００から受信する。なお、撮影者４００１〜４００３は同じ撮影グループに属し、当該グループは、情報管理装置２４００の撮影者情報保持部Ａ１６０１０に、あらかじめ設定済みであるものとする。
【００２０】
図７に本実施形態における撮影者４００１のカメラ２１００の背面（ファインダ）からみた様子を示す。ボタン５４０１は図１の撮影制御装置Ａ１２０００に相当し、ファインダ画面５５０１は図１の情報提示装置Ａ１４０００の表示部に相当する。カメラ２１００の情報提示装置制御部Ａ１５００４は、ファインダ画面５５０１に、出力データ取得部Ａ１５００１が取得したスルー画を表示する。また、情報提示装置制御部Ａ１５００４は、ファインダ画面５５０１にスルー画を表示中に、グループを構成する他の撮影者のアイコン（アイコン５３０１〜５３０３）を表示する。これにより、撮影者４００１は、撮影した撮影データが誰と共有されるのかを容易に確認することができる。また、情報提示装置制御部Ａ１５００４は、ファインダ画面５５０１に、他の撮影者が撮影した撮影データ７００４〜７００７を時系列順に表示する。これにより、撮影者４００１は、グループを構成する他の撮影者の撮影した画像を簡単に確認する事ができる。さらに、情報提示装置制御部Ａ１５００４は、撮影者のアイコン５２０１、５２０２、５２０３、５２０４を、撮影データ７００４、７００５、７００６、７００７にそれぞれ重ねて表示する。これにより、撮影者４００１は、誰が各撮影データを撮影したのかを容易に確認することができる。なお、図７に示される撮影データ７００４〜７００７は、実際の撮影データが縮小されたデータであるが、本実施形態において表示される撮影データの大きさに特段の限定はない。
【００２１】
次に、図３と図４を用いて、撮影者４００１がカメラ２１００を利用して撮影を行う際のカメラ（撮影装置）２１００と情報管理装置２４００の処理フローについて説明する。図３はカメラ２１００の処理フローを示す図であり、図４は情報管理装置２４００の処理フローを示す図である。図３において、撮像素子出力データ取得工程Ｓ３１０１では、出力データ取得部Ａ１５００１が、撮像素子Ａ１１０００であるCMOSイメージセンサの出力データを取得する。そして、出力データ取得部Ａ１５００１は、出力データを、出力データ記録部Ａ１５００２及び情報提示装置制御部Ａ１５００４からの要求に応じて出力する。
【００２２】
なお、本実施形態では撮像素子Ａ１１０００としてCMOSイメージセンサを使用しているが、CCDなど他の種類のイメージセンサを使用しても良い。また、本実施形態では撮影装置であるカメラ２１００の中に単一の撮像素子Ａ１１０００を持つが、カメラ２１００は複数の撮像素子を有し、何らかの方法によって適切なイメージセンサを選択しても良い。また、出力データ取得部Ａ１５００１は、撮像素子Ａ１１０００から出力データを取得する際に、データのサイズやフレームレートなどの設定を行なっても良い。撮影タイミングに関しても、例えば秒間30フレームのように等間隔である必要はなく、動体検知機能などを使用して被写体に動きがあった際に、出力データ取得部Ａ１５００１は撮像素子Ａ１１０００の出力を取得しても良い。また、出力データ取得部Ａ１５００１が撮像素子Ａ１１０００の出力を取得する方法は、撮像素子Ａ１１０００から直接有線で取得する方法に限るものではなく、Bluetooth（登録商標）や無線LANを利用してネットワーク経由で取得しても良い。取得方法も撮像素子Ａ１１０００からNTSCビデオ信号などでデータを取得しても良いし、Bitmapイメージなどの形式で取得してもよく、撮像データの取得方法や形式については制限されるものではないことは述べるまでもない。
【００２３】
撮影判断工程Ｓ３１０２では、出力データ記録部Ａ１５００２が、撮影制御装置Ａ１２０００に相当するカメラ２１００のボタン５４０１が押下されているかを判断する。なお、本実施形態では、撮影制御装置Ａ１２０００として物理的なボタンが使用されているが、タッチパネルや、何らかのジェスチャ、タイマー、もしくはこれらの組み合わせなど、撮影タイミングや撮影条件を指示できれば他に替えても良い。また、押下の有無を判断するタイミングは、図３に示すフローのサイクルの中であっても良いが、出力データ記録部Ａ１５００２が、ポーリングのように一定時間ごとに判断結果を問い合わせても良いし、割り込みのようにしても良い。また、撮影制御装置Ａ１２０００はカメラ２１００と必ずしも一体になっている必要はなく、ネットワーク経由で撮影指示を行っても良い。
【００２４】
撮影判断工程Ｓ３１０２において、カメラ２１００のボタン５４０１が押下されていると判断された場合、処理は撮影データ記録工程Ｓ３１０３へ進む。なお、図５は、本実施形態における通信シーケンスを示す。撮影データ記録工程Ｓ３１０３における通信シーケンスは、図５のＳＱ３１０３に示される。撮影データ記録工程Ｓ３１０３では、出力データ記録部Ａ１５００２が、出力データ取得部Ａ１５００１から出力される撮像素子Ａ１１０００の出力をJPEG画像の撮影データとして記録する。そして、出力データ記録部Ａ１５００２は、記録した撮影データを含んだ要求を通信装置Ａ１３００１を使用して情報管理装置２４００に送信する。なお、出力データ記録部Ａ１５００２は、撮影データを縮小させた縮小撮影データを生成して送信しても良い。
【００２５】
図８は、出力データ記録部Ａ１５００２がJPEG画像として記録した撮影データ６０００の例である。出力データ記録部Ａ１５００２は、情報管理装置２４００に撮影データを送信する際、撮影データに撮影者４００１のID（識別情報）である“４００１”と、撮影時刻を付与する。なお、撮影データに付与される情報は撮影者のIDと撮影時刻に限定されない。また、撮影データに付与される撮影者のIDは他に替えても良い。例えば、何らかの方法で撮影装置と、その撮影装置を使用している撮影者を結びつけて識別することが可能であれば、撮影装置固有のIDなどを送付しても良い。さらに、撮影データはJPEG画像である必要はなく、Bitmapや、RAWデータでも良い。また、撮影データとともに送信されるデータは撮影者IDに限るものではなく、例えば撮影地のGPS情報や、シャッタースピードやISO感度など撮影装置に関する情報を送付してもよく、情報管理装置２４００に送付する情報を限定するものではない。
【００２６】
また、本実施形態では、図２のようなネットワーク構成になっているため、カメラ２１００〜２３００がそれぞれ情報管理装置２４００に対して撮影データ及び撮影者ID、撮影時刻を送付している。しかし、必ずしも情報管理装置２４００が情報を一元管理する必要はなく、カメラ同士が相互に通信を行い、お互いが情報管理装置の役割を果たしても良いし、いずれかのカメラがカメラ兼情報管理装置の役割を果たしても良い。また、情報管理装置２４００への通信手段としては、撮影装置が3GやLTEなどの公衆回線に直接接続しても良いし、モバイルWi-Fi ルータを用いてインターネットに接続しても良い。また、情報管理装置２４００は必ずしもインターネット上にある必要はなく、ローカルエリアネットワーク内に情報管理装置２４００を構築して、無線LAN等を利用してアクセスできるようにしても良い。このとき、情報管理装置２４００の場所や情報管理装置２４００へのアクセス手段は特定の位置や方法に限定されない。また、ネットワーク接続手段として、無線や有線といった種類は限定されないことは述べるまでもない。このように、撮影データ記録工程Ｓ３１０３において、情報管理装置２４００に対し撮影データを含んだ要求が送信される。
【００２７】
次に、情報管理装置２４００の情報管理部Ａ１６００１が、通信装置Ａ１３００２を介して撮影データ６０００と撮影データ６０００に付与された撮影者４００１の撮影者ID（本実施形態では“４００１”）と撮影時刻を含んだ要求を受信すると、情報管理装置２４００は図４に示す処理フローに従った処理を実行する。
【００２８】
図４において、撮影者所属グループ取得工程Ｓ３２０１では、情報管理部Ａ１６００１は、撮影者情報保持部Ａ１６０１０を参照して、受信した撮影者IDに対応する撮影者の所属グループIDを取得する。図１０に、撮影者情報保持部Ａ１６０１０が保持する撮影者情報の例を示す。図１０の表では、撮影者IDと、その撮影者が所属するグループのIDと、撮影者のアイコンが含まれる。しかし、撮影者情報保持部Ａ１６０１０は、これ以外の撮影者に関する情報、例えば撮影者情報の作成時刻やデータの編集時刻、撮影者認証のためのパスワード、端末固有のIDなどの撮影者を識別できる情報などを保持しても良い。図１０に示す表によれば、撮影者４００１が所属するグループIDは“１”である。
【００２９】
要求判別工程Ｓ３２０２では、情報管理部Ａ１６００１が、カメラ２１００から受信した要求が情報記録要求か、情報取得要求かを判別する。本実施形態では、情報管理部Ａ１６００１は、要求の引数として撮影データが含まれていたら情報記録要求、撮影データが含まれていなければ情報取得要求とみなす。ただし、要求を表す引数の値や、要求のプロトコル、要求のタイミングなど、その他の情報を利用して判別しても良いことは述べるまでもない。
【００３０】
前述のように、今、情報管理部Ａ１６００１が撮影装置２１００から受信した要求は撮影データが含まれた情報記録要求であるので、処理は撮影データID生成工程Ｓ３２０３へ進む。撮影データID生成工程Ｓ３２０３では、撮影データ保持部Ａ１６０２０は、撮影データにユニークなIDを生成して付与する。本実施形態では、撮影データ保持部Ａ１６０２０は、例えば、図８に示した撮影データ６０００に対しユニークな撮影データID“７００８”を付与する（後述する図９を参照）。なお、本実施形態では、撮影データ保持部Ａ１６０２０は、情報管理部Ａ１６００１が撮影データを受け取った順に、撮影データIDを生成して付与する。しかし、撮影データのハッシュや、その他、撮影データを識別できる撮影データIDであれば、撮影データIDの生成手段を問わないし、撮影データIDのフォーマットも数字に限るものではない。さらに、撮影者IDごとに撮影データIDを割り振って、撮影者IDと撮影データIDの複合キーのように扱っても良い。
【００３１】
撮影データ記録工程Ｓ３２０４では、撮影データ保持部Ａ１６０２０が、撮影者のIDである“４００１”、グループID、撮影データ、撮影時刻とともに撮影データ保持部Ａ１６０２０内に記録する。図９に、撮影データ保持部Ａ１６０２０に記録される情報の例を示す。なお、撮影データ保持部Ａ１６０２０に記録される情報は図９に示すものに限られず、撮影に関するほかの情報が記録されても良い。また、撮影データ保持部Ａ１６０２０は、撮影者や撮影日時等の情報を異なるテーブルに記録しても良く、情報を保持するテーブルの設計についてなんらかの制限をするものではない。さらに、本実施形態では、撮影データ保持部Ａ１６０２０は、テーブルを用いて情報を管理しているが、情報を管理できる方法であれば、テキストデータや、JSON、CSVなど、他の記述形式でも良いことは述べるまでもない。
【００３２】
図３に戻り、撮影判断工程Ｓ３１０２においてカメラ２１００のボタン５４０１が押下されていないと判断された場合、処理は情報取得工程Ｓ３１０４へ進む。なお、情報取得工程Ｓ３１０４における通信シーケンスは、図５のＳＱ３１０４に示される。情報取得工程Ｓ３１０４において、情報取得部Ａ１５００３は、まず、通信装置Ａ１３００１を介して、情報管理部Ａ１６００１に問い合わせ（情報取得要求）を行う。なお、この問い合わせには、情報取得部Ａ１５００３が指定する撮影者４００１と同じグループに属する撮影者に関する情報を取得するための指示が含まれる。情報管理装置２４００は情報管理部Ａ１６００１によってこの問い合わせを受信した後、図４に示す処理フローに従った処理を行う。
【００３３】
図４において、撮影者所属グループ取得工程Ｓ３２０１及び、要求判別工程Ｓ３２０２は、前述したとおりである。今、要求判別工程Ｓ３２０２では、情報管理部Ａ１６００１が情報取得要求を撮影装置２１００から受信した場合であるので、撮影データ取得工程Ｓ３２０５へ進む。
【００３４】
撮影データ取得工程Ｓ３２０５では、情報管理部Ａ１６００１は、撮影者情報保持部Ａ１６０１０と撮影データ保持部Ａ１６０２０を参照して、情報取得部Ａ１５００３が指定する撮影者４００１と同じグループに属する撮影者による撮影データ群に関する情報（撮影データ情報）を取得する。本実施形態では、情報管理部Ａ１６００１は、撮影データ保持部Ａ１６０２０から、撮影者４００１と同じグループに属する撮影者４００１〜４００３が撮影した撮影データ群に関する情報である、撮影データID、撮影者ID、撮影時刻、及び撮影データを取得する。図９に示す撮影データ保持部Ａ１６０２０が保持している情報の例によると、撮影者４００１〜４００３が撮影した撮影データ群は撮影データ７００４〜７００８であることがわかる。また、情報管理部Ａ１６００１は、撮影者情報保持部Ａ１６０１０から、撮影者４００１と同じグループに属する撮影者に関する情報を取得する。本実施形態では、情報管理部Ａ１６００１は、撮影データ保持部Ａ１６０２０から、撮影者４００１と同じグループに属する撮影者４００１〜４００３に関する情報である、撮影者IDと撮影者のアイコンを取得する。
【００３５】
撮影データ送信工程Ｓ３２０６では、情報管理部Ａ１６００１は、通信装置Ａ１３００２を介して、Ｓ３２０５の工程で取得した情報を情報取得部Ａ１５００３に対して送信する。すなわち、送信する情報は、撮影者４００１〜４００３に関する情報と、撮影データ７００４〜７００８に関する情報である。なお、本実施形態では、情報取得部Ａ１５００３から情報管理部Ａ１６００１に問い合わせ（情報取得要求）があった際に、該当する撮影データをすべて送信している。しかし、情報管理部Ａ１６００１は、撮影データ保持部Ａ１６０２０から撮影データのリストだけ取得して、必要に応じて撮影データ自体を転送する方法をとっても良い、また、情報管理部Ａ１６００１は、ページャライズを行い、一定枚数だけ撮影データを転送するなどしても良いことは述べるまでもない。また、本実施形態において、情報取得部Ａ１５００３は、図３に示す処理フローの中で問い合わせ（情報取得要求）を実施しているが、必ずしもこのフローの中で実施する必要はない。情報取得部Ａ１５００３は、ポーリングのように一定時間（例えば1秒）ごとに問い合わせを実施してもよく、何らかのイベント発生時に問い合わせを実施しても良い。
【００３６】
図３に戻り、情報提示工程Ｓ３１０５では、情報提示装置制御部Ａ１５００４が、情報提示装置Ａ１４０００に対して、出力データ取得部Ａ１５００１によって取得されたスルー画を提示する制御を行う。さらに、情報提示装置制御部Ａ１５００４は、情報取得部Ａ１５００３によって取得された撮影者４００１〜４００３に関する情報と、それら撮影者による撮影データと撮影データに関する情報を時刻情報でソートしたうえで関連付けて情報提示装置Ａ１４０００に提示する制御を行う。なお、情報提示装置制御部Ａ１５００４が情報提示装置Ａ１４０００に提示する撮影データは、実際に撮影された撮影データを縮小させた縮小撮影データとしても良い。このような縮小撮影データは、出力データ記録部Ａ１５００２によって生成されても良いし、情報取得部Ａ１５００３又は情報提示装置制御部Ａ１５００４によって生成されても良い。
【００３７】
図１１に、情報提示装置制御部Ａ１５００４の表示制御により、情報提示装置Ａ１４０００の表示部（ファインダ画面５５０１）に提示される表示の例を示す。図１１に示されるように、情報提示装置制御部Ａ１５００４は、スルー画が表示されたファインダ画面５５０１（撮影確認画面）に、グループを構成する撮影者４００１〜４００３に関する情報であるアイコン５３０１〜５３０３を画面の左上に表示する。これは、撮影者４００１が撮影を行っている際に、撮影データが、撮影者４００１が属するグループの撮影者４００１〜４００３の間で閲覧可能な状態になることを示している。また、情報提示装置制御部Ａ１５００４は、ファインダ画面５５０１の下部に撮影者４００１〜４００３が撮影した撮影データ７００５〜７００８を重ねあわせて表示する。
【００３８】
ここで、図７に示した撮影者４００１による撮影前のファインダ画面５５０１と、図１１に示した撮影者４００１による撮影後のファインダ画面５５０１とを比較する。図１１では、ファインダ画面５５０１に、撮影データ７００４が表示されなくなり、撮影データ７００５〜７００７が左にずれ、撮影データ７００８が右端に新しく表示されている。これは、撮影データ記録工程Ｓ３１０３において、撮影者４００１が撮影データ７００８を新しく撮影したためであり、新規に撮影された撮影データ７００８はこのように画面右端に表示される。また、これは、撮影データは撮影日時が古い順に７００５、７００６、７００７、７００８であることも示す。さらに、各撮影データ７００５〜７００８の左上には５２０２〜５２０５のように撮影者のアイコンが表示される。このアイコン表示は、例えば、撮影データ７００５は撮影者４００３が撮影したことを示し、撮影データ７００６は撮影者４００２が撮影したことを示し、撮影データ７００７及び７００８は、撮影者４００１が撮影したことを示す。
【００３９】
このように、本実施形態では、グループを構成する撮影者の情報と、グループを構成する撮影者の撮影データが、スルー画が表示されたファインダ画面５５０１に重ねあわせて表示される。これにより、撮影者は、他の撮影者がどんな写真を撮影しているかを撮影行為中に容易に確認できる。なお、本実施形態では、図１１のようなレイアウトで情報が提示されているが、必ずしもこのようなレイアウトに限定されない。また、撮影者が撮影中に容易に確認できるのであれば、情報提示装置制御部Ａ１５００４は情報提示装置Ａ１４０００に対して、表示領域を分割して表示するように制御しても良い。また、撮影者自身の情報と撮影者自身が撮影した撮影データについては、必ずしも表示される必要はない。
【００４０】
以上のように、本実施形態による撮影装置は、撮影した撮影データを情報管理装置に送信するとともに、グループを構成する他の撮影者が撮影した撮影データやグループを構成する他の撮影者に関する情報を取得する。そして、撮影装置は取得した情報を撮影装置のファインダ画面に重ね合わせて表示する。これにより、撮影者は、グループとしてどのような写真を撮影しているかを容易に把握することが可能になる。そのため、撮影者や被写体、その他の関係者にとって有益な写真を効率的に撮影することができるようになる。
【００４１】
また、本実施形態によれば、撮影装置の撮影者に対して、スルー画が表示されたファインダ画面に他の撮影者が撮影した画像を提示する事によって、被写体や撮影者、その他の関係者から喜ばれる写真を効率的に撮影する事が可能になる。なお、本実施形態に示す撮影装置は手に持って撮影するカメラとしたが、本実施形態を適用する撮影装置の種類は限定されない。すなわち、本実施形態を適用する撮像装置として、スマートフォンのアプリケーションであっても良い。また、遠隔制御を行うカメラなど、ファインダ（情報提示装置Ａ１４０００）と撮像素子（撮像素子Ａ１１０００）が物理的に離れていても良く、カメラの大きさや形状、方式等は特に限定されない。また、被写体、シーン等は特に限定されない事は述べるまでもない。
【００４２】
＜第２実施形態＞
以下、図面を参照して本発明の第２実施形態を詳細に説明する。第１実施形態との主な差異は、本実施形態による撮影装置は、撮影時に撮影データを外部の装置に送信すると同時に、撮影装置内のメモリに記録する点である。これによって、本実施形態による撮影装置は、情報提示装置に情報を提示する際に、撮影者自身が撮影した画像は撮影装置内のメモリから、他の撮影者が撮影した画像はネットワークから取得する。また、本実施形態は、第１実施形態と比較して、グループを構成する撮影者が使用する撮影装置のうちの１台は撮影装置兼情報管理装置として利用される点、情報提示装置によって撮影者に提示する情報は変更可能とする点が異なる。
【００４３】
（全体構成図と機能）
図１２に本実施形態の撮影装置の全体構成図と機能を示す。第１実施形態で説明した図１と比較すると、撮影データ保持部Ａ１５０１０の有無が異なる。また、出力データ記録部Ａ１５００２における撮影データの出力先と、情報取得部Ａ１５００３における情報の取得先として、撮影データ保持部Ａ１５０１０が追加されている点が異なる。さらに、提示情報制御装置Ａ１７０００からの指示によって、情報提示装置制御部Ａ１５００４が、情報提示装置Ａ１４０００を制御して提示する情報の内容を変化させる点が異なる。
【００４４】
出力データ記録部Ａ１５００２は、第１実施形態と同様であるが、取得した出力データを、撮影データ保持部Ａ１５０１０と、撮影データ保持部Ａ１６０２０に送信する点が異なる。情報取得部Ａ１５００３は、第１実施形態と同様であるが、撮影データ保持部Ａ１５０１０と撮影データ保持部Ａ１６０２０から、撮影データ等を取得する点が異なる。情報提示装置制御部Ａ１５００４は、第１実施形態と同様であるが、提示情報制御装置Ａ１７０００からの指示に応じて、情報提示装置Ａ１４０００に提示する情報を変更する点が異なる。撮影データ保持部Ａ１５０１０は、出力データ記録部Ａ１５００２から取得した出力データをJPEG画像等の撮影データとして保持し、情報取得部Ａ１５００３からの要求に応じて出力する。提示情報制御装置Ａ１７０００は、情報提示装置制御部Ａ１５００４に対して、提示する情報を選択して指示することによって、情報提示装置Ａ１４０００における、スルー画の表示有無、他の撮影者の撮影データの表示有無などを切り換える。その他の構成は、第１実施形態で説明した図１と同様である。
【００４５】
（具体的な構成）
図１３に第２実施形態における具体的な構成を示す。カメラ（撮影装置）１１１００及び１１２００は、撮像素子Ａ１１０００、撮影制御装置Ａ１２０００、通信装置Ａ１３００１、情報提示装置Ａ１４０００、第一の計算部Ａ１５０００、提示情報制御装置Ａ１７０００を内包する。カメラ（撮影装置兼情報管理装置）１１３００は、カメラ１１１００、１１２００が内包する装置に加えて、通信装置Ａ１３００２と第二の計算部Ａ１６０００を内包する。
【００４６】
カメラ１１１００〜１１３００のそれぞれでは、内含する撮影制御装置Ａ１２０００に相当するボタンが撮影者に押下されることによって、出力データ取得部Ａ１５００１は撮像素子Ａ１１０００に相当するCMOSイメージセンサの出力を取得する。取得されたデータは、撮影データ保持部Ａ１５０１０にJPEG画像等の撮影データとして記録される。そして、その撮影データは、通信装置Ａ１３００１に相当する無線LAN通信モジュール及び無線LANルータ及びインターネット回線などの通信設備を介して、カメラ１１３００に送られる。情報提示装置Ａ１４０００は、提示情報制御装置Ａ１７０００からの入力に従って、撮像素子Ａ１１０００から取得したスルー画と、撮影データ保持部Ａ１５０１０及びカメラ１１３００から取得した情報を重ねあわせて表示する。
【００４７】
第一の計算部Ａ１５０００は、出力データ取得部Ａ１５００１、出力データ記録部Ａ１５００２、情報取得部Ａ１５００３、情報提示装置制御部Ａ１５００４の機能を実行するプログラムを有する。また、第一の計算部Ａ１５０００は、撮影データ保持部Ａ１５０１０として利用できるメモリを搭載している。一方、第二の計算部Ａ１６０００は、情報管理部Ａ１６００１の機能を実行するプログラムを有する。また、第二の計算部Ａ１６０００は、撮影者情報保持部Ａ１６０１０と撮影データ保持部Ａ１６０２０として利用できるメモリを搭載している。以上が、本実施形態における具体的な構成である。
【００４８】
（具体的な処理例）
次に、図を用いて本実施形態における具体的な例について説明する。図１６に本実施形態において想定される使用シーンを示す。本実施形態は、図１６のように、撮影者４００１、４００２、４００３がそれぞれ、手持ちのカメラ１１１００、１１２００、１１３００で撮影するものとする。カメラ１１１００及び１１２００はカメラ１１３００の情報管理部Ａ１６００１に対して撮影者が撮影した撮影データを送信し、グループを構成する撮影者が撮影した撮影データと、撮影者情報を受信する。なお、撮影者４００１〜４００３は、同じ撮影グループに属し、当該グループは、カメラ１１３００の撮影者情報保持部Ａ１６０１０に、あらかじめ設定済みであるものとする。
【００４９】
図１７に本実施形態における撮影者４００１のカメラ１１１００を背面（ファインダ）からみた様子を示す。第１実施形態におけるカメラ２１００との差異は、提示情報制御装置Ａ１７０００に相当するボタン１３０００１の有無である。提示情報制御装置Ａ１７０００については後述する。
【００５０】
次に、図３と図１４を用いて、撮影者４００１がカメラ１１１００を利用して撮影を行う際のカメラ（撮影装置）１１１００とカメラ（撮影装置兼情報管理装置）１１３００の処理フローについて説明する。図３はカメラ１１１００の処理フローを示す図であり、図１４はカメラ１１３００の処理フローを示す図である。図３において、撮像素子出力データ取得工程Ｓ３１０１及び撮影判断工程Ｓ３１０２は第１実施形態と同様であるため、説明を省略する。ただし、第１実施形態におけるカメラ２１００が、本実施形態におけるカメラ１１１００に相当する。
【００５１】
図３において、撮影データ記録工程Ｓ３１０３では、カメラ１１１００内に撮影データが記録され、記録された撮影データがカメラ１１３００に送信される。図１５に本実施形態における通信シーケンスを示す。撮影データ記録工程Ｓ３１０３における通信シーケンスは、図１５のＳＱ３１０３に示される。撮影データ記録工程Ｓ３１０３では、まず、出力データ記録部Ａ１５００２が、出力データ取得部Ａ１５００１から出力される撮像素子Ａ１１０００の出力をJPEG画像の撮影データとして撮影データ保持部Ａ１５０１０に記録する。出力データ記録部Ａ１５００２は、撮影データ保持部A１５０１０に撮影データを記録する際、撮影者のIDと撮影時刻を付与する。また、撮影データ保持部Ａ１５０１０は、記録される撮影データに撮影データIDとグループIDを付与する。出力データ記録部Ａ１５００２は、撮影データ保持部Ａ１５０１０に撮影者IDと撮影時刻を付与した撮影データを記録した後、記録したデータと同じデータを通信装置Ａ１３００１を介してカメラ１１３００に送信する。ここでJPEG画像として記録した撮影データを図８の６０００に示す。なお、撮影データはJPEG画像である必要はなく、Bitmapや、RAWデータでも良い。
【００５２】
図１８に撮影データ保持部Ａ１５０１０が保持する情報の例を示す。図１８に示す表には、撮影データID、撮影者ID、撮影時刻、撮影データ、グループIDが含まれる。なお、撮影者IDは他に替えても良い。例えば、何らかの方法で撮影装置と、その撮影装置を使用している撮影者を結びつけて識別することが可能であれば、撮影装置固有のIDなどを送付しても良い。また、グループIDは、撮影データ保持部Ａ１５０１０内であらかじめ保持されていても良いし、撮影データ保持部Ａ１５０１０が撮影毎にグループIDを選択して付与するようにしても良い。また、グループIDは外部から取得されるようにしても良いことは述べるまでもない。さらに、本実施形態では、撮影データ保持部Ａ１５０１０は、テーブルを用いて情報を管理しているが、情報を管理できる方法であれば、テキストデータや、JSON、CSVなど、他の方法でも良いことは述べるまでもない。
【００５３】
撮影データ保持部Ａ１５０１０は、カメラ１１１００で撮影された順に撮影データIDを生成して撮影データに付与する。また本実施形態では、図１８の撮影データID４００１００１、４００１００２、４００１００３のように、撮影データIDの中に撮影者ID“４００１”を含めることによって、他の撮影装置で撮影された撮影データに対して、同じ撮影者IDを付与できないようにしている。なお、本実施形態では、撮影データ保持部Ａ１５０１０は、撮影データを受け取った順に撮影データに撮影データIDを生成して付与するが、ここで、撮影データのハッシュや、その他、撮影データを識別できるIDであれば、撮影データIDの生成手段を問わない。また、撮影データIDのフォーマットも数字に限るものではない。さらに、撮影データ保持部Ａ１５０１０は、撮影データID、撮影データ、撮影者ID、撮影日時だけでなく、撮影者の属するグループに関する情報等を同じテーブルに記録しても良い。また、撮影データ保持部Ａ１５０１０は、撮影者IDや撮影日時等の情報を異なるテーブルに記録しても良く、情報を保持するテーブルの設計についてなんらかの制限をするものではない。
【００５４】
カメラ１１３００の情報管理部Ａ１６００１は、通信装置Ａ１３００２を介して出力データ記録部Ａ１５００２から撮影データを受信すると、カメラ１１３００は図１４に示す処理フローに従った処理を実行する。図１４において、要求判別工程Ｓ３２０２は第１実施形態の図４と同様であり、説明を省略する。撮影データ記録工程Ｓ３２０４では、撮影データ保持部Ａ１６０２０が、各撮影装置から送付された情報をまとめて１つのテーブルに記録する。図１９に撮影データ保持部Ａ１６０２０が保持する情報の例を示す。なお、撮影データ保持部Ａ１６０２０に記録される情報は図１９に示すものに限られず、撮影に関するほかの情報が記録されても良い。また、撮影データ保持部Ａ１６０２０は、撮影者や撮影日時等の情報を異なるテーブルに記録しても良く、情報を保持するテーブルの設計についてなんらかの制限をするものではない。さらに、本実施形態では、テーブルを用いて情報を管理しているが、情報を管理できる方法であれば、テキストデータや、JSON、CSVなど、他の記述形式でも良いことは述べるまでもない。
【００５５】
また、本実施形態では、図１３の様なネットワーク構成になっており、カメラ１１１００、１１２００が撮影装置で、カメラ１１３００が撮影装置兼情報管理装置の働きをする。カメラ１１１００と１１２００がそれぞれカメラ１１３００に対して撮影データを送付しているが、カメラ同士が相互に通信を行い、お互いがサーバの役割を行なっても良いし、いずれかのカメラが親となり、サーバの役割を果たしても良い。また、サーバの役割を果たす装置への通信手段としては、撮影装置が3GやLTEなどの公衆回線に直接接続しても良いし、モバイルWi-Fi ルータを用いてインターネットに接続しても良い。またサーバは必ずしもインターネット上にある必要はなく、ローカルエリアネットワーク内にサーバを構築して、無線LAN等を利用してアクセスしてもよく、サーバの場所、アクセス手段を限定しない。また、ネットワーク接続手段の無線、有線といった種類を限定するものではないことは述べるまでもない。
【００５６】
図３に戻り、情報取得工程Ｓ３１０４は、第１実施形態と同様である。ただし、情報取得部Ａ１５００３が、２か所から情報を取得する点が異なる。なお、情報取得工程Ｓ３１０４におけるシーケンスは図１５のＳＱ３１０４に示される。情報取得工程Ｓ３１０４では、まず、情報取得部Ａ１５００３が、通信装置Ａ１３００１を介して情報管理部Ａ１６００１に問い合わせ（情報取得要求）を行う。そして、情報取得部Ａ１５００３は、撮影者４００１と同一のグループを構成する撮影者４００１、４００２及び４００３に関する情報と、撮影者４００２及び４００３が撮影した撮影データを取得する。第１実施形態との差異は、撮影者４００１が撮影した撮影データは撮影データ保持部Ａ１５０１０から取得するため、情報管理部Ａ１６００１からは取得しない点である。
【００５７】
なお、撮影データの取得方法は特定の方法に限定されない。例えば、まず情報取得部Ａ１５００３が撮影データ保持部Ａ１６０２０から撮影者４００１、４００２、４００３が撮影した撮影データのリストを取得する。その後、情報取得部Ａ１５００３は撮影者４００１が撮影した撮影データは撮影データ保持部Ａ１５０１０から、撮影者４００２、４００３が撮影した撮影データを撮影データ保持部Ａ１６０２０から取得しても良い。
【００５８】
情報提示工程Ｓ３１０５は、第１実施形態と同様である。ただし、提示情報制御装置Ａ１７０００からの入力によって取得する情報を設定する点が異なる。例えば、本実施形態において提示情報制御装置Ａ１７０００は２値（オン・オフ）のスイッチになっている。これを利用して撮影者に関する情報及び撮影データの表示・非表示の切り替えを指示する。
【００５９】
図２０に提示情報制御装置Ａ１７０００のスイッチがオンになっている場合のファインダ画面の例を、図２１にスイッチがオフになっている場合のファインダ画面の例を示す。スイッチがオンになっている場合は、図２０に示すように撮影者と同じグループを構成する撮影者のアイコンや、同じグループを構成する撮影者が撮影した撮影データなどが情報提示装置Ａ１４０００に提示される。しかし、スイッチがオフになっている場合は図２１のように、撮影者と同じグループを構成する撮影者のアイコンや、同じグループを構成する撮影者が撮影した撮影データなどが情報提示装置Ａ１４０００に提示されない。このようにすることによって、撮影に集中できる環境を提供することが可能になる。
【００６０】
なお、図２１では、提示情報制御装置Ａ１７０００のスイッチがオフになっている場合は、情報提示装置Ａ１４０００には撮影者に関する情報及び撮影データが表示されないようになっている。しかし、提示情報制御装置Ａ１７０００のスイッチがオフの場合であっても、情報提示装置制御部Ａ１５００４は、情報取得部Ａ１５００３から一部の情報だけを選択して取得しても良い。また、提示情報制御装置Ａ１７０００のスイッチとして、オン・オフではなく複数の値が設定可能な入力装置を用いても良い。例えば、このような入力装置がユーザによって操作されることにより、情報提示装置制御部Ａ１５００４は、情報取得部Ａ１５００３から過去に撮影された撮影データだけを取得することや、自分が撮影した撮影データだけを取得することが可能となる。また、提示情報制御装置Ａ１７０００は必ずしも２値のスイッチである必要はなく、情報の表示、非表示以外の処理を行っても良い。例えば、提示情報制御装置Ａ１７０００は、ダイヤルやレバー、タッチパネルなどを用いてもよく、提示する情報も入力にシチュエーションに応じて変化させて良いことは述べるまでもない。さらに、タッチパネルを用いて撮影データにタッチすると、情報提示装置Ａ１４０００において、該当する撮影データを拡大表示されるなどの処理が行われても良い。
【００６１】
このように、本実施形態では、撮影装置のうちの１台が情報管理装置の役割を果たし、撮影装置が撮影した撮影データを情報管理装置に送信するとともに撮影装置内のメモリに保持する。そして、撮影装置は、撮影装置内のメモリから撮影者自身が撮影した撮影データを、情報管理装置からグループを構成する他の撮影者が撮影した撮影データやグループを構成する他の撮影者に関する情報を取得する。そして、撮影装置はこのようにして取得した情報を撮影装置のファインダ画面に重ね合わせて表示する。また、撮影装置の撮影者に対してグループを構成する他の撮影者の撮影データを提示する際に、情報の種類によって情報の取得先を変更して、ファインダ画面に提示する情報を簡単に変更可能にする。これにより、撮影者にとって快適な撮影体験を提供することが可能になる。また、グループとしてどのような写真を撮影しているかを容易に把握することが可能になるため、撮影者や被写体、その他の関係者にとって有益な写真を効率的に撮影することができるようになる。
【００６２】
また、本実施形態によれば、撮影装置の撮影者に対して、スルー画が表示されたファインダ画面に他の撮影者が撮影した画像を提示する事によって、被写体や撮影者、その他の関係者から喜ばれる写真を効率的に撮影する事が可能になる。また、撮影者自身が撮影した画像をカメラの中に保持しておくことによって、保持している写真に関してはネットワークを介して撮影データを取得する必要がなくなる。これによって、リアルタイムに撮影データの提示を行う事が出来、撮影者に高い臨場感を提供することができる。なお、本実施形態に示す撮影装置は手に持って撮影するカメラとしたが、本実施形態を適用する撮影装置は限定されない。すなわち、本実施形態を適用する撮像装置として、スマートフォンのアプリケーションであっても良い。また、遠隔制御を行うカメラなど、ファインダ（情報提示装置Ａ１４０００）と撮像素子（撮像素子Ａ１１０００）が物理的に離れていても良く、カメラの大きさや形状、方式等は特に限定されない。また、被写体、シーン等は特に限定されない事は述べるまでもない。
【００６３】
＜第３実施形態＞
以下、図面を参照して本発明の第３実施形態を詳細に説明する。第１、第２実施形態との主な差異は、撮影装置がそれぞれ撮影データに関する情報管理を行い、撮影装置同士が相互に通信を行うこと、及び撮影装置の状態を出力する点である。また、提示情報制御装置Ａ１７０００が、情報提示装置制御部Ａ１５００４に対してではなく、情報取得部Ａ１５００３に対して指示を行う点も異なる。
【００６４】
（全体構成図と機能）
図２２に本実施形態の撮影装置の全体構成図と機能を示す。撮影制御装置Ａ１２０００は第１実施形態と同様である。ただし、撮影装置状態取得部Ａ１５００５に対して撮影制御装置Ａ１２０００の状態を出力する点が異なる。通信装置Ａ１３００１は第１実施形態と同様である。ただし、通信装置Ａ１３００１は、情報管理部Ａ１５００６が、撮影者情報保持部Ａ１５０２０の内容と、撮影データ保持部Ａ１５０３０の内容を、他の撮影装置と同期するために使用される点で異なる。
【００６５】
出力データ取得部Ａ１５００１は、出力データ記録部Ａ１５００２、情報提示装置制御部Ａ１５００４、及び撮影装置状態取得部Ａ１５００５からの要求に応じて撮像素子Ａ１１０００の出力を取得し出力する。撮影装置状態取得部Ａ１５００５は、出力データ取得部Ａ１５００１からの出力される撮像素子状態と、撮影制御装置Ａ１２０００の状態を取得し、情報管理部Ａ１５００６を用いて撮影者情報保持部Ａ１５０２０に記録する。情報取得部Ａ１５００３は、提示情報制御装置Ａ１７０００の入力に応じて、情報管理部Ａ１５００６にアクセスし、撮影者情報保持部Ａ１５０２０に保持される、撮影者と同じグループを構成する撮影者と、撮影装置の状態に関する情報を取得する。また、情報取得部Ａ１５００３は、撮影データ保持部Ａ１５０３０に保持される撮影データに関する情報を取得する。
【００６６】
情報提示装置制御部Ａ１５００４は、第１実施形態と同様である。ただし、スルー画、撮影者に関する情報、撮影データに加えて、情報取得部Ａ１５００３から取得した撮影装置の状態に関する情報を情報提示装置Ａ１４０００に提示させる点で異なる。情報管理部Ａ１５００６は、撮影者情報保持部Ａ１５０２０を用いて撮影者に関する情報を、撮影データ保持部Ａ１５０３０を用いて撮影データに関する情報を保持し、情報取得部Ａ１５００３からの要求に応じて出力する。また、情報管理部Ａ１５００６は、撮影者情報保持部Ａ１５０２０及び撮影データ保持部Ａ１５０３０の内容を、通信装置Ａ１３００１を介して他の撮影装置と同期させる。撮影者情報保持部Ａ１５０２０は、第１実施形態における撮影者情報保持部Ａ１６０１０と同様である。ただし、撮影者情報保持部Ａ１５０２０は、撮影者のID、撮影者のアイコン、撮影者のグループに加えて撮影者の使用する撮影装置の動作状態を保持する点で異なる。撮影データ保持部Ａ１５０３０は、第１実施形態における撮影データ保持部Ａ１６０２０と同様である。提示情報制御装置Ａ１７０００は、情報取得部Ａ１５００３に対して、提示する情報について指示することによって、スルー画の表示有無、他の撮影者の撮影データの表示有無などを切り換える。その他の構成は、第１実施形態で説明した図１と同様である。
【００６７】
（具体的な構成）
図２３に第３実施形態における具体的な構成を示す。カメラ（撮影装置）１４１００、〜１４３００は、撮像素子Ａ１１０００、撮影制御装置Ａ１２０００、通信装置Ａ１３００１、情報提示装置Ａ１４０００、提示情報制御装置Ａ１７０００、及び計算部Ａ１５０００を内包する。カメラ１４１００〜１４３００のそれぞれでは、撮影制御装置Ａ１２０００に相当するボタンが撮影者によって押下されることによって、出力データ取得部Ａ１５００１は撮像素子Ａ１１０００に相当するCMOSイメージセンサの出力を出力データ記録部Ａ１５００２に記録する。情報管理部Ａ１５００６は出力データ記録部Ａ１５００２に記録された情報である撮影者情報及び撮影装置の状態、撮影データを、通信装置Ａ１３００１に相当する無線LAN通信モジュール及び無線LANルータを利用して撮影装置間で交換する。情報提示装置Ａ１４０００は、提示情報制御装置Ａ１７０００からの入力に応じて撮像素子Ａ１１０００から取得したスルー画と、情報管理部Ａ１５００６から取得した情報を重ねあわせて表示部に表示する。
【００６８】
計算部Ａ１５０００は、出力データ取得部Ａ１５００１、出力データ記録部Ａ１５００２、情報取得部Ａ１５００３、情報提示装置制御部Ａ１５００４、撮影装置状態取得部Ａ１５００５、情報管理部Ａ１５００６の機能を実行するプログラムを有する。また、撮影者情報保持部Ａ１５０２０と撮影データ保持部Ａ１５０３０として利用できるメモリを搭載している。以上が、本実施形態における具体的な構成である。
【００６９】
（具体的な処理例）
次に、図を用いて、本実施形態における具体的な処理例について説明する。図２６に、本実施形態において想定される使用シーンを示す。本実施形態は、図２６のように、撮影者４００１、４００２、４００３が存在するときに、撮影者がそれぞれ手持ちのカメラ１９１００、１９２００、１９３００で撮影を行う。撮影者４００１〜４００３は、同じグループとしてあらかじめ設定済みであり、それぞれの撮影装置のネットワーク上のアドレスをお互いに知っているものとする。図２７に、撮影者４００１のカメラ１９１００の背面（ファインダ画面）の表示例を示す。カメラ１９１００〜１９３００それぞれで撮影された撮影データＩＤ４００１００１、４００３００７、４００２００４、４００１００２に対応する撮影データは撮影時刻順に、撮影者４００１のカメラ１９１００のファインダ画面５５０１上に表示される。これにより、撮影中にグループを構成する他の撮影者の撮影した画像を簡単に確認する事ができるようになり、撮影者４００１〜４００３にとって有益な写真を効率よく撮影することが可能となる。
【００７０】
次に図２４を用いて、撮影者４００１がカメラ１９１００を利用して撮影を行う際のカメラ（撮影装置）１９１００の処理フローについて説明する。図２４は、カメラ１９１００の処理フローを示す図である。図２４において、撮像素子出力データ取得工程Ｓ３１０１及び撮影判断工程Ｓ３１０２は第１実施形態と同様であり、説明を省略する。ただし、第１実施形態におけるカメラ２１００は本実施形態においてカメラ１９１００に相当する。
【００７１】
撮影データ記録工程Ｓ３１０３は、第１実施形態と同様である。ただし、通信装置Ａ１３００１を介して撮影データを記録するのではなく、情報管理部Ａ１５００６を用いて撮影データ保持部Ａ１５０３０に撮影データを記録する点が異なる。なお、図２５に本実施形態における通信シーケンスを示す。撮影データ記録工程Ｓ３１０３におけるシーケンスは図２５のＳＱ３１０３に示される。撮影データ記録工程Ｓ３１０３における情報管理部Ａ１５００６の処理は、第１実施形態で説明した情報管理部Ａ１６００１の処理と同様である。ただし、撮影データ保持部Ａ１６０２０は撮影データ保持部Ａ１５０３０に相当する。図１９に、撮影データ保持部Ａ１５０３０が保持する情報の例を示す。情報管理部Ａ１５００６は撮影データIDを生成して付与したうえで、撮影者ID、撮影時刻、グループID、撮影データを撮影データ保持部Ａ１５０３０に記録する。情報管理部Ａ１５００６は撮影データを撮影データ保持部Ａ１５０３０に記録後、通信装置Ａ１３００１を介してカメラ１９２００及び１９３００に対して撮影データを送付する。
【００７２】
カメラ１９２００及び１９３００では、通信装置Ａ１３００１によって撮影装置１９１００から撮影データを受け取ると、撮影装置１９２００及び１９３００が内包する情報管理部Ａ１５００６を用いて撮影データ保持部Ａ１５０３０に撮影データを記録する。なお、本実施形態では、撮影データ記録時に、他の撮影装置に記録する撮影データを送信して撮影データ保持部Ａ１５０３０の内容を同期しているが、一定時間ごとに同期を行う方法など、他のタイミングで同期を試みても良い。なお、本実施形態では同期の方法としては、複数の撮影装置の間で撮影データ保持部Ａ１５０３０の保持内容の差分を検出して、差分が存在すれば、差分を保持している撮影装置に差分を要求し受け取ったものを記録する。ただし、同期の方法を限定するものではなく、各撮影装置の撮影データ保持部Ａ１５０３０の保持内容が定期的に等しくなるような方法であれば、方法を問わない。また、同期のタイミングも、データの変更があった場合に行っても良いし、一定時間ごとに実施してもよく、タイミングを限定するものではないことは述べるまでもない。
【００７３】
撮影装置状態記録工程Ｓ３１０６では、撮影装置状態取得部Ａ１５００５が撮影装置の状態を情報管理部Ａ１５００６に出力し、情報管理部Ａ１５００６が撮影者情報保持部Ａ１５０２０に保持する。なお、撮影装置状態記録工程Ｓ３１０６におけるシーケンスは図２５のＳＱ３１０６に示される。図２８に、本実施形態における、撮影者情報保持部Ａ１５０２０が保持する情報の例を示す。それぞれの撮影者の撮影者IDとアイコン、撮影装置状態、所属するグループが記録されている。撮影装置状態としては、操作状況、撮影状況、撮影装置の傾きや撮影装置の電源状態や撮影装置の撮影制御装置の状態などが考えられるが、これらに限定されるものではないことは述べるまでもない。情報管理部Ａ１５００６では、撮影装置状態情報の更新があった場合、他の撮影装置に情報を送信し、グループを構成する各撮影装置内の撮影者情報保持部Ａ１５０２０の内容に矛盾が発生しないように務める。なお、同期方法は、撮影データ記録工程Ｓ３１０３と同様であり、とくに限定されるものではない。
【００７４】
情報取得工程Ｓ３１０４は第１実施形態と同様である。ただし、撮影者情報には、撮影者ID、撮影者のアイコン、撮影者の所属するグループだけでなく、撮影者の使用する撮影装置の動作状態が含まれる。また、通信装置Ａ１３００１を介して撮影データを記録するのではなく、情報管理部Ａ１５００６を用いて撮影データ保持部Ａ１５０３０及び、撮影者情報保持部Ａ１５０２０からデータを取得する。さらに、提示情報制御装置Ａ１７０００の入力によって取得する情報を設定する。本実施形態において提示情報制御装置Ａ１７０００はオンとオフを設定可能なスイッチになっている。設定値がオフになっている場合は、情報を取得しないようになっているが、オフな場合においても一部の情報だけを取得してもよく、またオン・オフではなく複数の値が設定可能な入力装置を用いても良い。例えば、このような入力装置がユーザによって操作されることにより、情報取得部Ａ１５００３は情報管理部Ａ１５００６から過去に撮影された撮影データだけを取得する、自分が撮影した撮影データだけを取得することが可能となる。また本実施形態において情報取得部Ａ１５００３による情報取得処理は、図２４に示される処理フローの中で実施されるが、このループの中で毎回実施する必要はなく、数回ごとに実施したり、もしくは何らかのイベント発生時に実施しても良い。
【００７５】
情報提示工程Ｓ３１０５は、第１実施形態と同様である。ただし、図２９に示すように、グループを構成する撮影者４００１、４００２、４００３に関する情報を左上に５３０１、５３０２、５３０３のようにアイコンのアイコンを表示し、撮影装置の状態に応じてアイコンを加工する。具体的には、図３０に示すフィルタをかける。図３０は撮影装置の状態とフィルタの対応表を示す。例えば、撮影装置の電源が入っていないときは２４００１のフィルタをかけ、撮影装置が再生モードである時は２４００２のフィルタをかける。これは、撮影者４００１が撮影を行った際に、撮影データが撮影者４００１，４００２、４００３の間で閲覧可能な状態になることと、現在の各撮影者がどのような状態にあるかを示している。このように、スルー画に重ねあわせてグループを構成する撮影者の情報、他の撮影者の撮影データの提示する事によって、撮影者は、他の撮影者がどんな写真を撮影しているかを撮影行為中に容易に認識できる。さらに他の撮影者が撮影中でなかったとしても、撮影者は、撮影装置の動作状態が認識できるので、より高い臨場感を撮影者に提供する事が可能になる。
【００７６】
このように、撮影装置の撮影者に対して、スルー画の上に他の撮影者が撮影した画像を提示する事によって、被写体や撮影者、その他の関係者から喜ばれる写真を効率的に撮影する事が可能になる。なお、本実施形態に示す撮影装置は手に持って撮影するカメラだけでなく、スマートフォンのアプリケーションであっても良い。また、遠隔制御を行うカメラなど、ファインダ（情報提示装置Ａ１４０００）と撮像素子（撮像素子Ａ１１０００）が物理的に離れていても良く、カメラの大きさや形状、方式等は特に限定されない。また、被写体、シーン等を特に限定するものではない事は述べるまでもない。
【００７７】
以上のように、本実施形態では、それぞれの撮影装置が情報管理装置の役割を果たし、撮影装置は、撮影した撮影データと撮影装置の状態を撮影装置内のメモリに保持する。そして、それぞれの撮影装置が保持する情報を同期させることによって、他の撮影装置に撮影者自身が撮影した撮影データと撮影装置の状態を送信し、他の撮影装置から他の撮影装置が撮影した撮影データと撮影装置の状態を受信する。また、撮影装置は、情報管理装置からグループを構成する他の撮影者が撮影した撮影データや撮影装置の状態、グループを構成する他の撮影者に関する情報を提示情報制御装置の指示に従って取得する。そして、このようにして取得した情報を撮影装置のファインダに重ね合わせて表示する。また、撮影データだけでなく、撮影装置の状態をグループを構成する撮影者内で共有する。これにより、撮影者は、より詳細に他の撮影者の様子を把握したうえで、グループとしてどのような写真を撮影しているかを容易に把握することが可能になる。その結果、撮影者や被写体、その他の関係者にとって有益な写真を効率的に撮影することができるようになる。
【００７８】
なお、上記の実施形態において、グループはあらかじめ構成されているものとしたが、手動で設定する方法や、半自動で設定する方法、自動で設定する方法など、グループの構成方法を問わない。また、ファインダ画面のレイアウトや構成も、提示内容や、情報提示位置、情報提示の大きさ等を限定するものではない。
【００７９】
本発明によれば、グループ内において各撮影者が、他の撮影者が撮影した写真とは異なる独自性の高い写真を撮影することができる。さらに、グループとして誰かが撮影しているだろうから自分は撮影しなくて良いという思い込みによる取り残しが少なくなり網羅性のある写真を容易に撮影することができる。そのため、グループを構成する撮影者、被写体などにとって有益な写真を効率的に撮影する事が可能になる。
【００８０】
＜第４実施形態＞
以下、図面を参照して本発明の第４実施形態を詳細に説明する。第１実施形態との主な差異は、グループを構成する他の撮影者のアイコンと、各撮影データの左上に表示される撮影者のアイコンが同一でない点である。
【００８１】
（全体構成図と機能）
本実施形態の全体構成図と機能は第１の実施形態と同様である。
【００８２】
（具体的な構成）
本実施形態の具体的な構成は、第１の実施形態と同様である。
【００８３】
（具体的な処理例）
本実施形態における具体的な処理例は第１の実施形態と同様である。ただし第１の実施形態とは、撮影者４００１のカメラ２１００の背面（ファインダ）からみた様子と、情報提示工程Ｓ３１０５の内容が異なる。
【００８４】
本実施形態における撮影者４００１のカメラ２１００の背面（ファインダ）からみた様子を、図３１に示す。第１の実施形態と異なる点は、ファインダ画面５５０１に表示される、グループを構成する他の撮影者のアイコン（５３０１〜５３０３）に対し、撮影者毎に異なるテクスチャ（３１３０１〜３１３０３）が重ね合わされている点と、撮影者のアイコンにかけられたテクスチャ３１３０１〜３１３０３を、撮影データ７００４、７００５、７００６、７００７にそれぞれ重ねて表示している点である（３１１０１〜３１１０４）。
【００８５】
本実施形態における情報提示工程Ｓ３１０５は第一の実施形態と同様である。ただし、情報取得部Ａ１５００３によって取得されたそれぞれの撮影者４００１〜４００３に対して図３２のように異なるテクスチャ３１３０１〜３１３０３を割り当てる点、図３１のようにスルー画が表示されたファインダ画面５５０１（撮影確認画面）にグループを構成する撮影者４００１〜４００３に関する情報であるアイコン５３０１〜５３０３と、テクスチャ３１３０１〜３１３０３を重ね合わせて画面の左上に表示する点、各撮影データ７００４〜７００７に３１１０１〜３１１０４のように図３２の表で各撮影者に対応するテクスチャを重ね合わせて表示する点が異なる。
【００８６】
これにより、各撮影データ７００４〜７００７に重ねて表示される、各撮影データの撮影者を表示する領域（３１１０１〜３１１０４）のサイズが小さくて、撮影者のアイコン（５３０１〜５３０３）を表示してもアイコンを識別できないような場合であっても、テクスチャの種類を確認する事によって撮影者を特定する事が出来る。なお、本実施例では各撮影者に対して異なる模様をテクスチャを割り当てているがこれに限るものではない。撮影者毎に異なる色や質感を付与しても良いし、アイコンの形状を変化させてもよく、ユーザが撮影者を識別できる方法であれば、どのような方法でも良い。また、撮影データに重ねて表示されるアイコンのサイズが小さい場合であっても、アイコン（５３０１〜５３０３）を単純に縮小して表示しても良いし、縮小したアイコンをテクスチャと組み合わせた上で撮影データに重ねて表示しても良い事は述べるまでもない。
【００８７】
＜第５実施形態＞
以下、図面を参照して本発明の第５実施形態を詳細に説明する。第１実施形態との主な差異は、グループを構成する他の撮影者のアイコンと、各撮影データの撮影者を示す方法が、撮影データ左上に表示される撮影者のアイコンではなく、撮影データに対するデコレーションとして提示される点である。
【００８８】
（全体構成図と機能）
本実施形態の全体構成図と機能は第１の実施形態と同様である。
【００８９】
（具体的な構成）
本実施形態の具体的な構成は、第１の実施形態と同様である。
【００９０】
（具体的な処理例）
本実施形態における具体的な処理例は第１の実施形態と同様である。ただし第１の実施形態とは、撮影者４００１のカメラ２１００の背面（ファインダ）からみた様子と、情報提示工程Ｓ３１０５の内容が異なる。
【００９１】
本実施形態における撮影者４００１のカメラ２１００の背面（ファインダ）からみた様子を図３３に示す。第１の実施形態と異なる点は。ファインダ画面５５０１に表示されるグループを構成する他の撮影者のアイコン（５３０１〜５３０３）に対し、撮影者毎に異なるテクスチャ（３１３０１〜３１３０３）が重ね合わせて表示している点と、撮影データ７００４、７００５、７００６、７００７の周囲にフレーム３３１０１〜３３１０４がデコレーションとして表示されており、このフレームに対して撮影者のアイコンに重ねられたテクスチャ３１３０１〜３１３０３が重ね合わせて表示されている点である。
【００９２】
本実施形態における情報提示工程Ｓ３１０５は第一の実施形態と同様である。ただし、情報取得部Ａ１５００３によって取得されたそれぞれの撮影者４００１〜４００３に対して図３２のように異なるテクスチャ３１３０１〜３１３０３を割り当てる点、図３３のようにスルー画が表示されたファインダ画面５５０１（撮影確認画面）にグループを構成する撮影者４００１〜４００３に関する情報であるアイコン５３０１〜５３０３にテクスチャ３１３０１〜３１３０３を重ね合わせて画面の左上に表示する点、各撮影データ７００４〜７００７のデコレーションとして付与されたフレームに３３１０１〜３３１０４のように図３２の表で各撮影者に対応するテクスチャを表示する点が異なる。
【００９３】
これにより、撮影データと撮影者のアイコンを重ねる必要が無くなるため表示スペースの問題などでアイコンを識別可能なサイズで表示できない場合でも、撮影者を容易に特定する事が可能になる。なお、本実施例では各撮影者に対して異なる模様をテクスチャを割り当てているがこれに限るものではない。撮影者毎に異なる色や質感を付与しても良い。また本実施形態ではデコレーションの方法としてフレームを使用しているが、フレームの太さや形状、線の種類等は限定するものではない。さらにデコレーションの方法として影や文字、スタンプ等を付与したり、さまざまな種類のエフェクトやフィルタを適用したり、形状等を変化させてもよく、ユーザが各写真の撮影者を識別できる方法であれば、どのような方法でも良い。また、撮影データのフレームにテクスチャを重ね合わせて表示する場合であっても、撮影者のアイコン（５３０１〜５３０３）を合わせて表示しても良い事は述べるまでもない。
【００９４】
＜その他実施形態＞
以上、実施形態例を詳述したが、本発明は例えば、システム、装置、方法、プログラム若しくは記録媒体(記憶媒体)等としての実施態様をとることが可能である。具体的には、複数の機器（例えば、ホストコンピュータ、インタフェース機器、撮像装置、webアプリケーション等）から構成されるシステムに適用しても良いし、また、一つの機器からなる装置に適用しても良い。
【００９５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015144425.tif 000003
【図２】
2015144425.tif 000004
【図３】
2015144425.tif 000005
【図４】
2015144425.tif 000006
【図５】
2015144425.tif 000007
【図６】
2015144425.tif 000008
【図７】
2015144425.tif 000009
【図８】
2015144425.tif 000010
【図９】
2015144425.tif 000011
【図１０】
2015144425.tif 000012
【図１１】
2015144425.tif 000013
【図１２】
2015144425.tif 000014
【図１３】
2015144425.tif 000015
【図１４】
2015144425.tif 000016
【図１５】
2015144425.tif 000017
【図１６】
2015144425.tif 000018
【図１７】
2015144425.tif 000019
【図１８】
2015144425.tif 000020
【図１９】
2015144425.tif 000021
【図２０】
2015144425.tif 000022
【図２１】
2015144425.tif 000023
【図２２】
2015144425.tif 000024
【図２３】
2015144425.tif 000025
【図２４】
2015144425.tif 000026
【図２５】
2015144425.tif 000027
【図２６】
2015144425.tif 000028
【図２７】
2015144425.tif 000029
【図２８】
2015144425.tif 000030
【図２９】
2015144425.tif 000031
【図３０】
2015144425.tif 000032
【図３１】
2015144425.tif 000033
【図３２】
2015144425.tif 000034
【図３３】
2015144425.tif 000035